(57)【要約】【課題】撮影で得た画像データを装置間で中継し、カメラ装置で画像データの確認を行うことを可能としたカメラシステムおよび画像中継装置を提供する。【解決手段】データ出力部２３は、撮像素子２２が生成した原画像データを記憶媒体１０へ出力し、記録する。データ処理部４３は、データ入力部４１を介して記憶媒体１０から原画像データを取得し、原画像データから情報量を減少させたビュー画像データを作成する。データ出力部４４はビュー画像データを記憶媒体１０へ出力し、記録する。データ入力部２４は記憶媒体１０からビュー画像データを読み出し、表示部２５へ出力する。表示部２５は、ビュー画像データに基づいて画像を表示する。【選択図】図１
2007123996.tif 000002
【特許請求の範囲】
【請求項１】
被写体を撮像して得た原画像データを、着脱可能な記憶媒体に格納するカメラ装置と、前記原画像データを外部装置に中継する画像中継装置とを有するカメラシステムであって、
前記画像中継装置は、
前記記憶媒体から前記原画像データを読み出すデータ読み出し手段と、
前記データ読み出し手段によって読み出された前記原画像データから情報量を減少させたビュー画像データを作成するビュー画像データ作成手段と、
前記ビュー画像データ作成手段によって作成された前記ビュー画像データを出力するデータ出力手段とを有し、
前記カメラ装置は、
前記データ出力手段によって出力された前記ビュー画像データを入力するデータ入力手段と、
入力された前記ビュー画像データに基づいて画像を表示する表示手段とを有する
ことを特徴とするカメラシステム。
【請求項２】
前記データ出力手段は、着脱可能な記憶媒体に前記ビュー画像データを出力して記録することを特徴とする請求項１に記載のカメラシステム。
【請求項３】
前記カメラ装置は、
前記表示手段によって表示された画像に対して、少なくとも観察者が確認済みであることを示す情報を含むフラグ情報を生成するフラグ生成手段と、
前記フラグ生成手段によって生成された前記フラグ情報を前記ビュー画像データまたは前記原画像データに関連付けて記憶媒体に記録するフラグ出力手段と、
をさらに有することを特徴とする請求項２に記載のカメラシステム。
【請求項４】
前記画像中継装置は、
前記フラグ情報が記録された記憶媒体から前記フラグ情報を読み出すフラグ読み出し手段と、
前記フラグ読み出し手段によって読み出された前記フラグ情報に基づいて、対応する前記原画像データに対してデータ処理を行うデータ処理手段と、
をさらに有することを特徴とする請求項３に記載のカメラシステム。
【請求項５】
前記フラグ情報が記録される記憶媒体と、前記ビュー画像データが記録される記憶媒体は、異なる記憶媒体であることを特徴とする請求項３または請求項４に記載のカメラシステム。
【請求項６】
前記画像中継装置は、前記原画像データが得られた撮影時の撮影条件を示す原画像情報を前記ビュー画像データと共に記憶媒体に記録する原画像情報記録手段をさらに有することを特徴とする請求項２〜請求項５のいずれかの項に記載のカメラシステム。
【請求項７】
前記画像中継装置は、前記データ読み出し手段によって読み出された前記原画像データを一時的に記憶する一時記憶手段をさらに有することを特徴とする請求項１〜請求項６のいずれかの項に記載のカメラシステム。
【請求項８】
着脱可能な記憶媒体に格納された原画像データを外部装置に中継する画像中継装置であって、
前記記憶媒体から前記原画像データを読み出すデータ読み出し手段と、
前記データ読み出し手段によって読み出された前記原画像データから情報量を減少させたビュー画像データを作成するビュー画像データ作成手段と、
前記ビュー画像データ作成手段によって作成された前記ビュー画像データを、着脱可能な記憶媒体に記録するデータ出力手段と、
を有することを特徴とする画像中継装置。
【発明の詳細な説明】
【技術分野】
【０００１】
本発明は，撮影時に記憶媒体に記録された画像データを所望の処理系に中継する画像中継装置に関する。また、本発明は、カメラ装置と画像中継装置とを備えたカメラシステムにも関する。
【背景技術】
【０００２】
半導体メモリを記憶媒体として機器間のデータ移動に使うデータ転送装置がある．例えば、特許文献１には、カード形状の半導体メモリを機器に挿入することにより、キーボード操作をせずに機器間でデータの転送が可能な自動転送機能を有するメモリカード自動データ転送装置が開示されている
【特許文献１】特開平５−２４２３１０号公報
【発明の開示】
【発明が解決しようとする課題】
【０００３】
従来、被写体を撮像して画像データを生成する撮像手段と、その画像データを記憶する記憶手段とが一体となった撮像装置を使った撮影では、撮影で得た画像データを、撮像装置に接続した小容量の記憶手段に記憶した後、小容量の記憶手段から外部の大容量記憶手段に画像データを転送し、保存している。撮影現場においては、保存した撮影データを、撮影後、その場でビューファインダ等により確認したいという希望がある。そこで、大容量記憶手段に保存したデータを撮像装置に移動する必要がある。しかし、大容量記憶手段は大きくて重い装置であるため、可搬性に劣り、とり扱いが面倒であるという問題点がある。
【０００４】
本発明は、上述した問題点に鑑みてなされたものであって、撮影で得た画像データを装置間で中継し、カメラ装置で画像データの確認を行うことを可能としたカメラシステムおよび画像中継装置を提供することを目的とする。
【課題を解決するための手段】
【０００５】
本発明は、上記の課題を解決するためになされたもので、被写体を撮像して得た原画像データを、着脱可能な記憶媒体に格納するカメラ装置と、前記原画像データを外部装置に中継する画像中継装置とを有するカメラシステムであって、前記画像中継装置は、前記記憶媒体から前記原画像データを読み出すデータ読み出し手段と、前記データ読み出し手段によって読み出された前記原画像データから情報量を減少させたビュー画像データを作成するビュー画像データ作成手段と、前記ビュー画像データ作成手段によって作成された前記ビュー画像データを出力するデータ出力手段とを有し、前記カメラ装置は、前記データ出力手段によって出力された前記ビュー画像データを入力するデータ入力手段と、入力された前記ビュー画像データに基づいて画像を表示する表示手段とを有することを特徴とするカメラシステムである。
【０００６】
また、本発明のカメラシステムにおいて、前記データ出力手段は、着脱可能な記憶媒体に前記ビュー画像データを出力して記録することを特徴とする。
【０００７】
また、本発明のカメラシステムにおいて、前記カメラ装置は、前記表示手段によって表示された画像に対して、少なくとも観察者が確認済みであることを示す情報を含むフラグ情報を生成するフラグ生成手段と、前記フラグ生成手段によって生成された前記フラグ情報を前記ビュー画像データまたは前記原画像データに関連付けて記憶媒体に記録するフラグ出力手段とをさらに有することを特徴とする。
【０００８】
また、本発明のカメラシステムにおいて、前記画像中継装置は、前記フラグ情報が記録された記憶媒体から前記フラグ情報を読み出すフラグ読み出し手段と、前記フラグ読み出し手段によって読み出された前記フラグ情報に基づいて、対応する前記原画像データに対してデータ処理を行うデータ処理手段とをさらに有することを特徴とする。
【０００９】
また、本発明のカメラシステムにおいて、前記フラグ情報が記録される記憶媒体と、前記ビュー画像データが記録される記憶媒体は、異なる記憶媒体であることを特徴とする。
【００１０】
また、本発明のカメラシステムにおいて、前記画像中継装置は、前記原画像データが得られた撮影時の撮影条件を示す原画像情報を前記ビュー画像データと共に記憶媒体に記録する原画像情報記録手段をさらに有することを特徴とする。
【００１１】
また、本発明のカメラシステムにおいて、前記画像中継装置は、前記データ読み出し手段によって読み出された前記原画像データを一時的に記憶する一時記憶手段をさらに有することを特徴とする。
【００１２】
また、本発明は、着脱可能な記憶媒体に格納された原画像データを外部装置に中継する画像中継装置であって、前記記憶媒体から前記原画像データを読み出すデータ読み出し手段と、前記データ読み出し手段によって読み出された前記原画像データから情報量を減少させたビュー画像データを作成するビュー画像データ作成手段と、前記ビュー画像データ作成手段によって作成された前記ビュー画像データを、着脱可能な記憶媒体に記録するデータ出力手段とを有することを特徴とする画像中継装置である。
【発明の効果】
【００１３】
本発明によれば、画像中継装置がカメラ装置と外部装置との間で原画像データを転送すると共に、原画像データから情報量を減少させたビュー画像データを作成することによって、撮影で得た画像データを装置間で中継し、ビュー画像データに基づいてカメラ装置で画像データの確認を行うことができるという効果が得られる。
【発明を実施するための最良の形態】
【００１４】
以下、図面を参照し、本発明の実施形態を説明する。まず、本発明の第１の実施形態を説明する。図１は、本実施形態によるカメラシステムの構成を示している。本カメラシステムは、被写体１を撮像して原画像データを生成するカメラ装置２と、例えば原画像データを記憶するための大容量記憶手段を備えた外部装置３と、カメラ装置２と外部装置３との間で原画像データ等を中継する画像中継装置４とを備えている。
【００１５】
カメラ装置２において、撮像光学系２１は、被写体１から入射する光を集光し、撮像素子２２の撮像面に結像させる。撮像素子２２は、撮像面に結像された被写体像を、光電変換によって画像信号に変換し、原画像データとして出力する。データ出力部２３はこの原画像データを、着脱可能な記憶媒体１０へ出力し、記録する。記憶媒体１０に格納された原画像データは画像中継装置４へ転送される。後述するように、画像中継装置４は原画像データから情報量（データ量）を減少させたビュー画像データを作成し、記憶媒体１０に記録する。
【００１６】
カメラ装置２のデータ入力部２４（データ入力手段）は、記憶媒体１０に記録されたビュー画像データを読み出して入力する。データ入力部２４によって読み出され、入力されたビュー画像データは表示部２５へ出力される。表示部２５（表示手段）は、例えばビューファインダであり、ビュー画像データに基づいて画像を表示する。これによって、撮影された画像を観察者（撮影者）が確認することができる。
【００１７】
チェック部２６（フラグ生成手段）は、表示部２５によって表示された画像に対する観察者の確認結果に基づいたフラグ情報を生成する。フラグ情報は、観察者が画像を確認済みであることを示す情報を少なくとも含んでおり、それに加えて例えば画像の消去等の画像処理内容の情報を含んでいる。チェック部２６は、観察者の入力操作に基づいてフラグ情報を生成し、フラグ出力部２７へ出力する。フラグ出力部２７（フラグ出力手段）は、フラグ情報をビュー画像データに関連付けて記憶媒体１０に記録する。ビュー画像データは原画像データに対応しており、フラグ情報を参照することによって、原画像データが確認済みであるのか否かや、原画像データにどのような画像処理を施すのかが分かるようになる。
【００１８】
画像中継装置４のデータ入力部４１（データ読み出し手段、フラグ読み出し手段）は、記憶媒体１０に記録された原画像データおよびフラグ情報を読み出して入力する。データ入出力部４２は原画像データを外部装置３へ出力すると共に、必要に応じて、外部装置３から原画像データを入力する。データ処理部４３（ビュー画像データ作成手段）は、データ入力部４１によって読み出された原画像データから情報量を減少させたビュー画像データを作成する。また、データ処理部４３（データ処理手段）は、データ入力部４１によって読み出されたフラグ情報に基づいて、対応する原画像データに対してデータの消去等の画像処理（データ処理）を行う。なお、このデータの消去等の画像処理（データ処理）を画像中継装置４で行わずに、原画像データに関連付けしたフラグ情報を原画像データと共に外部装置３に記憶することにより、外部装置３を用いて行う編集作業等の後処理において画像処理（データ処理）を行ってもよい。
【００１９】
データ出力部４４（データ出力手段）は、データ処理部４３によって作成されたビュー画像データを記憶媒体１０へ出力し、記録する。一時記憶装置４５（一時記憶手段）は、データ入力部４１によって読み出された原画像データ等を一時的に記憶する。図１では画像中継装置４の内部に一時記憶装置４５が内蔵されているが、一時記憶装置４５が内蔵されていなくてもよい。
【００２０】
本実施形態では、カメラ装置２と画像中継装置４の間の原画像データ等の転送は記憶媒体１０を介して行われるが、これに限らず、カメラ装置２と画像中継装置４を有線または無線で接続し、通信によって原画像データ等が転送されるようにしてもよい。また、画像中継装置４と外部装置３の間の原画像データ等の転送も同様である。
【００２１】
次に、本実施形態によるカメラシステムの動作を説明する。図２は撮影時のカメラ装置２の動作の概略手順を示している。撮影が開始されると、撮像素子２２は、被写体像に基づいた原画像データを生成し、出力する（ステップＳ２０１）。データ出力部２３は原画像データを記憶媒体１０へ出力し、記録する（ステップＳ２０２）。続いて、カメラ装置２内の図示せぬ制御部によって、撮影が終了したか否かが判断され（ステップＳ２０３）、撮影が終了した場合には原画像データの記録が終了する。また、撮影を終了しない場合には、ステップＳ２０１へ戻り、原画像データの記録動作が継続される。
【００２２】
原画像データの記録が終了すると、記憶媒体１０がカメラ装置２から取り外され、画像中継装置４に装着される。図３は記憶媒体１０の装着後の画像中継装置４の動作の概略手順を示している。記憶媒体１０が画像中継装置４に装着されると（ステップＳ３０１でＹＥＳの場合）、画像中継装置４の内部に一時記憶装置４５が内蔵されている場合（ステップＳ３０２でＹＥＳの場合）、一時記憶装置４５に原画像データを記録する設定がなされていれば（ステップＳ３０３でＹＥＳの場合）、一時記憶装置４５は、データ入力部４１を介して記憶媒体１０から原画像データを取得し、記録する（ステップＳ３０４）。
【００２３】
また、画像中継装置４に外部装置３が接続されている場合（ステップＳ３０５でＹＥＳの場合）、外部装置３へ原画像データを出力する設定がなされていれば（ステップＳ３０６でＹＥＳの場合）、データ入出力部４２は、データ入力部４２によって記憶媒体１０から読み出された原画像データを外部装置３へ出力する（ステップＳ３０７）。
【００２４】
また、原画像データに対してデータ処理を行ってビュー画像データを作成する設定がなされている場合（ステップＳ３０８でＹＥＳの場合）、データ処理部４３は、データ入力部４１を介して記憶媒体１０から原画像データを取得し、データ処理を実行してビュー画像データを作成する（ステップＳ３０９）。データ出力部４４は、データ処理部４３によって作成されたビュー画像データを記憶媒体１０へ出力し、記録する（ステップＳ３１０）。
【００２５】
図４は、図３のステップＳ３０９においてデータ処理部４３が実行するデータ処理の手順を示している。データ入力部４１は記憶媒体１０から原画像データを読み出し、データ処理部４３へ出力する（ステップＳ３０９ａ）。データ処理部４３は以下のようにして、原画像データの情報量（データ量）を減少させる処理を行い、ビュー画像データを作成する（ステップＳ３０９ｂ）。
【００２６】
原画像データの情報量を減少させるには、例えば以下の方法がある。
（１）図８に示すように、原画像データ１００から、それより小さい領域（サイズ）の部分切り出しを行い、所望の大きさに応じて等倍の、または変倍したビュー画像データ１０１とする方法。
（２）図９に示すように、原画像データ１０３を構成する画素ａ，ｂ，ｃを、例えば１画素おきに間引きして画素ａ，ｃとし、原画像データより小さいビュー画像データ１０５とする方法。
【００２７】
（３）図１０に示すように、原画像データ１０７を構成する画素ａ，ｂ，ｃを、例えば隣同士の画素間で平均化することで補間し、補間画素 （ａ＋ｂ）／２および（ｂ＋ｃ）／２を作成し、原画像データより小さいビュー画像データ１０９を作成する方法。
（４）図１１に示すように、原画像データ１１０をデータ圧縮し、ビュー画像データ１１２を作成する方法。
【００２８】
なお、上記の（３）における補間法には、他にもいろいろなバリエーションがあることはいうまでもなく、情報量を減少させる方法にも他にさまざまな方法がある。
【００２９】
データ処理部４３はビュー画像データを作成する際に、原画像データが得られた撮影時の撮影条件を示す原画像情報を、必要に応じてビュー画像データと共にデータ出力部４４へ出力する。原画像情報は、例えばフレームレートや、撮影日時、タイムコード、ホワイトバランスの設定内容、シャッタースピード等であり、例えば原画像データに付加されている。データ出力部４４（原画像情報記録手段）はビュー画像データと共に原画像情報を記憶媒体１０へ出力し、記録する。
【００３０】
上記では、記憶媒体１０に記録された原画像データからビュー画像データを作成する場合の動作を説明したが、原画像データが一時記憶装置４５または外部装置３に一旦記録された後は、一時記憶装置４５または外部装置３に記録された原画像データからビュー画像データを作成してもよい。以下、この場合の動作を説明する。
【００３１】
図５はこの場合の画像中継装置４の動作の概略手順を示している。画像中継装置４の内部に一時記憶装置４５が内蔵されている場合（ステップＳ５０１でＹＥＳの場合）、一時記憶装置４５から原画像データを読み出すかどうかが図示せぬ制御部によって判断される（ステップＳ５０２）。原画像データを読み出す場合（ステップＳ５０２でＹＥＳの場合）には、一時記憶装置４５から原画像データが読み出され、データ処理部４３へ出力される（ステップＳ５０３）。
【００３２】
また、画像中継装置４に外部装置３が接続されている場合（ステップＳ５０４でＹＥＳの場合）、外部装置３から原画像データを読み出すかどうかが図示せぬ制御部によって判断される（ステップＳ５０５）。原画像データを読み出す場合（ステップＳ５０５でＹＥＳの場合）、外部装置３から原画像データが読み出されて画像中継装置４に入力され、データ処理部４３へ出力される（ステップＳ５０６）。
【００３３】
データ処理部４３は、一時記憶装置４５または外部装置３から読み出された原画像データに対して、前述したデータ処理を行い、ビュー画像データを作成する。ビュー画像データの作成に係る図５のステップＳ５０７〜Ｓ５０９の各処理は図３のステップＳ３０８〜Ｓ３１０の各処理と同様である。
【００３４】
ビュー画像データの記録が終了すると、記憶媒体１０が画像中継装置４から取り外され、カメラ装置２に装着される。図６は記憶媒体１０の装着後のカメラ装置２の動作の概略手順を示している。記憶媒体１０がカメラ装置２に装着されると（ステップＳ６０１でＹＥＳの場合）、データ入力部２４は記憶媒体１０からビュー画像データを読み出し、表示部２５へ出力する（ステップＳ６０２）。表示部２５は、ビュー画像データに基づいて画像を表示する（ステップＳ６０３）。
【００３５】
観察者が画像のチェックを行う設定がなされている場合（ステップＳ６０４でＹＥＳの場合）、観察者によって画像が観察され、例えばその画像が必要な画像であるのか否か等の確認が行われる（ステップＳ６０５）。チェック結果に基づいた情報が操作者からチェック部２６に入力されると、チェック部２６は、そのチェック結果に基づいてフラグ情報を生成し、フラグ出力部２７へ出力する（ステップＳ６０６）。フラグ出力部２７はフラグ情報を、表示されたビュー画像データまたは原画像データに関連付けて記憶媒体１０に記録する（ステップＳ６０７）。
【００３６】
なお、ビュー画像データと共に原画像情報が記憶媒体１０に記録されている場合には、原画像情報もデータ入力部２４によって読み出されて表示部２５へ出力され、表示部２５によって表示される。これによって、撮影画像と共に撮影条件の情報も表示され、観察者が撮影条件も考慮してより詳細に画像のチェックを行うことができる。
【００３７】
ビュー画像データに基づいた画像表示およびフラグ情報の記録が終了すると、記憶媒体１０がカメラ装置２から取り外され、画像中継装置４に装着される。図７は記憶媒体１０の装着後の画像中継装置４の動作の概略手順を示している。データ処理部４３は、データ入力部４１を介してフラグ情報を取得する（ステップＳ７０１）。データ処理部４３は、一時記憶装置４５または外部装置３に記録された原画像データに対して、その原画像データと対応したフラグ情報に基づいた画像処理（データ処理）を実行する（ステップＳ７０２）。この画像処理とは、例えばデータ（全部または一部）を消去したり、データを誤って消去しないようにデータにプロテクトを設定したり、色補正を行ったりする等の処理である。
【００３８】
上述したように、本実施形態による画像中継装置は、カメラ装置と外部装置との間で原画像データを転送すると共に、原画像データから情報量を減少させたビュー画像データを作成する。これによって、撮影で得た画像データを装置間で中継し、ビュー画像データに基づいてカメラ装置のビューファインダ等で画像データの確認を行うことができる。画像中継装置がビュー画像データを作成するため、カメラ装置側にはビュー画像データを作成する機能は必要なく、カメラ装置を簡略化することができる。
【００３９】
また、データ量の多い原画像データを記憶媒体に保存する場合、少ないシーンしか保存できないが、データ量を減らしたビュー画像データならば、その何倍ものシーンを保存することができる。ビュー画像データに基づいた画像を確認することで、撮影したデータをチェックし、その結果を、フラグ情報を介して原画像データに反映することができるため、撮影シーンの取捨や取り直し等への対応も撮影現場で簡単に行えるようになる。
【００４０】
次に、本発明の第２の実施形態を説明する。図１２は、本実施形態によるカメラシステムの構成を示している。本実施形態では、ビュー画像データはビュー画像データ記憶媒体１１に記録され、フラグ情報はフラグ情報記憶媒体１２に記録される。原画像データはビュー画像データ１１とフラグ情報記憶媒体１２のいずれにも記録可能であり、またビュー画像データ１１とフラグ情報記憶媒体１２以外の記憶媒体に記録してもよい。
【００４１】
図１３は、ビュー画像に基づいて観察者がチェックを行う際のカメラ装置２の動作の概略手順を示している。ビュー画像記憶媒体１１がカメラ装置２に装着されると（ステップＳ１３０１でＹＥＳの場合）、データ入力部２４はビュー画像記憶媒体１１からビュー画像データを読み出し、表示部２５へ出力する（ステップＳ１３０２）。表示部２５は、ビュー画像データに基づいて画像を表示する（ステップＳ１３０３）。
【００４２】
続いて、観察者が画像のチェックを行う設定がなされている場合（ステップＳ１３０４でＹＥＳの場合）、観察者によって画像が観察され、画像の確認が行われる（ステップＳ１３０５）。チェック結果に基づいた情報が操作者からチェック部２６に入力されると、チェック部２６は、そのチェック結果に基づいてフラグ情報を生成し、フラグ出力部２７へ出力する（ステップＳ１３０６）。フラグ出力部１３０７はフラグ情報を、表示されたビュー画像データまたは原画像データに関連付けてフラグ情報記憶媒体１２に記録する（ステップＳ１３０７）。
【００４３】
図１４は、フラグ情報に基づいた処理を実行する際の画像中継装置４の動作の概略手順を示している。フラグ情報記憶媒体１２が画像中継装置４に装着されると（ステップＳ１４０１でＹＥＳの場合）、データ処理部４３は、データ入力部４１を介してフラグ情報を取得する（ステップＳ１４０２）。データ処理部４３は、一時記憶装置４５または外部装置３に記録された原画像データに対して、その原画像データと対応したフラグ情報に基づいた画像処理（データ処理）を実行する（ステップＳ１４０３）。
【００４４】
一時記憶装置４５に原画像データを記録する設定がなされている場合（ステップＳ１４０４でＹＥＳの場合）、データ処理部４３によって処理された更新後の原画像データは一時記憶装置４５に記録される（ステップＳ１４０５）。ただし、データ処理部４３によって原画像データの全部または一部が消去された場合には、一時記憶装置４５に記録されていた、対応する原画像データが消去される。
【００４５】
また、外部装置３に原画像データを記録する設定がなされている場合（ステップＳ１４０６でＹＥＳの場合）、データ処理部４３によって処理された更新後の原画像データは外部装置３へ出力され、記録される（ステップＳ１４０７）。ただし、データ処理部４３によって原画像データの全部または一部が消去された場合には、外部装置３に記録されていた、対応する原画像データが消去される。
【００４６】
また、ビュー画像データを更新する設定がなされている場合（ステップＳ１４０８でＹＥＳの場合）、データ処理部４３は、ビュー画像データ記憶媒体１１等に記録されたビュー画像データを更新する処理を行う。更新されたビュー画像データは、例えばデータ出力部４４によってビュー画像データ記憶媒体１１へ出力され、記録される（ステップＳ１４０９）。これによって、例えば原画像データの全部または一部が消去された場合、それに対応してビュー画像データの全部または一部が消去され、原画像データとビュー画像データの整合性が維持される。
【００４７】
第１の実施形態では、原画像データ、ビュー画像データ、およびフラグ情報が全て同一の記憶媒体に記録されるが、上述したように本実施形態では、ビュー画像データが記録される記憶媒体と、フラグ情報が記録される記憶媒体は、異なる記憶媒体である。このように、各データあるいは情報を異なる記憶媒体に記録することによって、使い勝手が向上する。
【００４８】
例えば、ビュー画像データは原画像データよりもデータ量が少ないものの、原画像データと共に全てのビュー画像データを１つの記憶媒体に記録することができない場合がある。そこで、ビュー画像データをビュー画像データ記憶媒体１１に記録し、原画像データをフラグ情報記憶媒体１２に記録することによって、全てのビュー画像データを記録することができるようになる。また、例えば原画像データをビュー画像データ１１に記録する場合には、フラグ情報記憶媒体１２にはフラグ情報のみが記録されるので、フラグ情報記憶媒体１２を小容量の記憶媒体で構成することができる。
【００４９】
以上、図面を参照して本発明の実施形態について詳述してきたが、具体的な構成はこれらの実施形態に限られるものではなく、本発明の要旨を逸脱しない範囲の設計変更等も含まれる。
【図面の簡単な説明】
【００５０】
【図１】本発明の第１の実施形態によるカメラシステムの構成を示すブロック図である。
【図２】本発明の第１の実施形態によるカメラシステムの動作の概略手順を示すフローチャートである。
【図３】本発明の第１の実施形態によるカメラシステムの動作の概略手順を示すフローチャートである。
【図４】本発明の第１の実施形態によるカメラシステムの動作の概略手順を示すフローチャートである。
【図５】本発明の第１の実施形態によるカメラシステムの動作の概略手順を示すフローチャートである。
【図６】本発明の第１の実施形態によるカメラシステムの動作の概略手順を示すフローチャートである。
【図７】本発明の第１の実施形態によるカメラシステムの動作の概略手順を示すフローチャートである。
【図８】本発明の第１の実施形態におけるビュー画像データの作成方法を説明するための参考図である。
【図９】本発明の第１の実施形態におけるビュー画像データの作成方法を説明するための参考図である。
【図１０】本発明の第１の実施形態におけるビュー画像データの作成方法を説明するための参考図である。
【図１１】本発明の第１の実施形態におけるビュー画像データの作成方法を説明するための参考図である。
【図１２】本発明の第２の実施形態によるカメラシステムの構成を示すブロック図である。
【図１３】本発明の第２の実施形態によるカメラシステムの動作の概略手順を示すフローチャートである。
【図１４】本発明の第２の実施形態によるカメラシステムの動作の概略手順を示すフローチャートである。
【符号の説明】
【００５１】
１・・・被写体、２・・・カメラ装置、３・・・外部装置、４・・・画像中継装置、１０・・・記憶媒体、１１・・・ビュー画像データ記憶媒体、１２・・・フラグ情報記憶媒体、２１・・・撮像光学系、２２・・・撮像素子、２３・・・データ出力部、２４，４１・・・データ入力部、２５・・・表示部、２６・・・チェック部、２７・・・フラグ出力部、４２，４４・・・データ出力部、４３・・・データ処理部、４５・・・一時記憶装置
【図１】
2007123996.tif 000003
【図２】
2007123996.tif 000004
【図３】
2007123996.tif 000005
【図４】
2007123996.tif 000006
【図５】
2007123996.tif 000007
【図６】
2007123996.tif 000008
【図７】
2007123996.tif 000009
【図８】
2007123996.tif 000010
【図９】
2007123996.tif 000011
【図１０】
2007123996.tif 000012
【図１１】
2007123996.tif 000013
【図１２】
2007123996.tif 000014
【図１３】
2007123996.tif 000015
【図１４】
2007123996.tif 000016